(57)【特許請求の範囲】
【請求項１】
胴部が胴周り方向に四面の側面板と四面の傾斜側面板とが一面ずつ交互に並んだ八面の面板からなり胴断面が八角形状とされていて、胴部における天部側の辺に連接された複数の天部閉鎖フラップを折り倒して天部が閉鎖され、前記胴部における底部側の辺に連接された複数の底部閉鎖フラップを折り倒して底部が閉鎖されている包装用箱であって、前記天部に平坦な係止凸部が設けられ、前記底部に前記天部の係止凸部に対応する位置にして平たい凹みである係止凹部が設けられていて、包装用箱を上下に重ねたときの下位の包装用箱の天部の前記係止凸部が上位の包装用箱の底部の前記係止凹部に入り込みが可能とされている包装用箱において、
前記係止凸部は、傾斜側面板の上辺が位置する天部の四隅それぞれに前記傾斜側面板の上辺に連接されて前記天部閉鎖フラップの上に折り倒されているフラップからなるものであり、平面形状が八角形状とされた天部の四隅である四か所に前記係止凸部が配置されていて、
前記底部閉鎖フラップは、胴部において対向する一組の側面板の下辺に連接されて折り倒された内フラップと対向するもう一組の側面板の下辺に連接されて折り倒された外フラップとからなり、前記底部は前記内フラップの下に外フラップを重ね合わせて閉鎖されていて、前記外フラップの両側に前記係止凸部に対応した切り欠きが設けられ、前記係止凹部は、底部における前記内フラップへの前記外フラップの切り欠き部分の重ね合わせにより前記内フラップを上面として形成されていて、
前記係止凹部での内フラップには、前記傾斜側面板の下辺が当接してこの傾斜側面板の下辺の位置を経て箱外方に張り出す張り出し部が設けられ、
上下の包装用箱を積み重ねて下位の包装用箱の天部の前記係止凸部と上位の包装用箱の底部の前記係止凹部とを対応させたときに、前記上位の包装用箱の傾斜側面板の下辺と前記下位の包装用箱の傾斜側面板の上辺とで、前記張り出し部を挟み込み可能な構成とされていることを特徴とする包装用箱。
【請求項２】
上記天部閉鎖フラップは、胴部において対向する一組の側面板の上辺に連接されて折り倒された内フラップと対向するもう一組の側面板の上辺に連接されて折り倒された外フラップとからなり、上記天部は前記内フラップの上に外フラップを重ね合わせて閉鎖されていて、この天部閉鎖フラップの内、外フラップの側端部分は内フラップの基端部分に重ね合わされ、傾斜側面板の上辺に連接されて上記係止凸部である上記フラップが、外フラップの基端部分の近傍に重ね合わされていて、外フラップにフラップを重ね合わせてなるこの係止凸部が、外フラップの基端部分と内フラップの基端部分とに近接配置されている請求項１に記載の包装用箱。
【発明の詳細な説明】
【技術分野】
【０００１】
本発明は内部に物品を収める包装用箱であって、胴部の断面形状が八角形状の包装用箱に関するものである。
【背景技術】
【０００２】
従来から胴部の断面が八角形状となっている段ボール製の包装用箱が流通していて、この包装用箱には例えば特許文献１に示されているように段ボール製の一枚のブランクから製函されているものがある。この特許文献１で示されている包装用箱を得るためのブランクは、胴部周り方向に沿って４面の側面板と４面の傾斜側面板とが１面ずつ交互に並んで連接した８面の面板とこの８面の面板の連接方向端部に位置する糊代とからなる胴部形成部と、前記面板それぞれの面板連接方向に直交する方向で対向する辺の内の一方の辺（底部側の辺）に連接されたフラップからなる底部形成部と前記面板それぞれの他方の辺（天部側の辺）に連接されたフラップからなる天部形成部とを備えている。
【０００３】
そして、製函に際しては、製函機における断面八角形状のマンドレルにブランクの胴部形成部を巻き付けて、胴部断面が八角形状となるように胴部における側面板と傾斜側面板との間の連接部位を折り出し、また、この巻き付ける時点で胴部形成部における糊代とこの糊代とは反対側の対応部とを貼り合わせるサイド貼りを行なっている。さらにこの公報掲載の技術では、胴部断面を八角形状とした後にマンドレルに胴部が巻き付いている状態のまま一方の端部、例えば天部形成部の各フラップの折り倒しと貼り合わせをして天部閉鎖を行なって、他方の端部が開放された箱を形成している。この後に物品を充填してから残りの端部における各フラップの折り倒しと貼り付けをして底部閉鎖を行なっていた。
【０００４】
このように胴部断面を八角形状とした包装用箱にあっては、複数の箱の向きを揃えて積み重ねる棒積みをするときの積み重ねが容易になるように、傾斜側面板の上部に上方に凸の突片を設けるとともに、その傾斜側面板の下部には凹みを設けて、下位側の箱の突片が上位側の箱の凹みに入り込む工夫が提案されている。
【０００５】
胴部断面を八角形状とした包装用箱を棒積みした際に上位の箱と下位の箱との間でズレが生じ難くなるようにして積み重ね状態を安定させる工夫が特許文献２に示されている。この特許文献２で示されている胴部を八角形状とした箱の天部では、対向する一組であって幅広とされた側面板の上辺に連接の二枚のフラップを天部閉鎖フラップとし、この天部閉鎖フラップである前記フラップを折り倒してから、対向するもう一組であって細幅とされた側面板の上辺に連接の二枚のフラップを折り倒して重ね合わせており、天部閉鎖フラップに重なる一対のフラップが平らな係止部分として天部の上に形成している。
【０００６】
また、箱の底部の閉鎖では四枚の底部閉鎖フラップにより閉鎖しており、細幅の側面板の下辺に連接の二枚のフラップを底部閉鎖フラップでの先折りする内フラップとして折り倒し、その後に太幅の側面板の下辺に連接の二枚のフラップを底部閉鎖フラップでの外フラップとして前記内フラップの下になるように折り倒している。この底部での太幅の側面板の下辺に連接のフラップ（外フラップ）の端辺隅部の切り欠き形状が、天部の係止部分の側辺形状に合わされていて、底部での外フラップが折り倒されて突き合わせの配置となることで、先に折り倒しされた内フラップの下面側に平たい凹み部分が形成され、その凹み部分の上下対応位置と平面形状とを前記係止部分に対応するようにしている。そして、例えば二つの箱の向きを揃えて上下に積み重ねるようにすれば、下位の箱の天部の係止部分が、下位の箱の底部の凹み部分に入り込むようになり、これによって、上下の箱の間でズレが生じさせないことを目的とした試みが示されている。
【先行技術文献】
【特許文献】
【０００７】
【特許文献１】特許第３３０４９９１号公報
【特許文献２】意匠登録第１１４４５５７号公報
【発明の概要】
【発明が解決しようとする課題】
【０００８】
胴部断面を八角形状とした箱の天部に、一対のフラップの折り倒しにより平たい係止部分を形成するとともに、その平たい係止部分に対応した凹み部分を底部に形成した箱は、向きを揃えて棒積みした際の上下の箱の間のズレを防止する機能を有する点では優れている。
【０００９】
一方、特許文献２の箱を概略的に図示した図５に表現されているように、箱ａの天部ｂは二枚のフラップｃを先に折り倒して突き合わせ状の配置とし、その突き合わせ部分となっている端辺の隅部それぞれの上に折り重なるようにして上記係止部分を形成する略台形状のフラップｄを折り倒しているものであるため、つぎの問題がある。この天部において上方からの荷重に対し、係止部分となるフラップｄの折り元部分、即ち、細幅の側面板の上辺となる部分Ｘ１には、それに抗する強度を期待することができる。しかし、前記下位のフラップｃには、これを下方からの支えとなる板材が存在しないことから、天部中央の部分Ｘ２に向かうに従って上方荷重に対する強度の低下が著しいという問題がある。
【００１０】
上記箱の天部でのフラップの重ね合わせ部分については通常の箱と同様にホットメルト接着剤による接合が行なわれるが、長手側のフラップを短手側のフラップが下支えした状態で貼り合わされる通常の箱とは異なるため、また、下位のフラップの突き合わせ部分の両側部それぞれを上位のフラップの折り元に乗せることもできないため、接着剤による貼り合わせが行なわれているといえども天部中央に向かうにしたがって強度が低下する度合いが高い。
【００１１】
そこで本発明は上記事情に鑑み、天部に平たい係止部分があるとともに底部にその係止部分に応じた平たい凹み部分があり、積み重ねの際に上位の箱の凹み部分に下位の箱の平たい係止部分が入り込むことで上下の箱の間のズレを防止するという構造の利点を活かしつつ、天部中央の上方からの荷重に対する強度低下を極力小さくすることを課題とし、天部の強度が向上した包装用箱を提供することを目的とするものである。
【課題を解決するための手段】
【００１２】
（請求項１）
本発明は上記課題を考慮してなされたもので、胴部が胴周り方向に四面の側面板と四面の傾斜側面板とが一面ずつ交互に並んだ八面の面板からなり胴断面が八角形状とされていて、胴部における天部側の辺に連接された複数の天部閉鎖フラップを折り倒して天部が閉鎖され、前記胴部における底部側の辺に連接された複数の底部閉鎖フラップを折り倒して底部が閉鎖されている包装用箱であって、前記天部に平坦な係止凸部が設けられ、前記底部に前記天部の係止凸部に対応する位置にして平たい凹みである係止凹部が設けられていて、包装用箱を上下に重ねたときの下位の包装用箱の天部の前記係止凸部が上位の包装用箱の底部の前記係止凹部に入り込みが可能とされている包装用箱において、
前記係止凸部は、傾斜側面板の上辺が位置する天部の四隅それぞれに前記傾斜側面板の上辺に連接されて前記天部閉鎖フラップの上に折り倒されているフラップからなるものであり、平面形状が八角形状とされた天部の四隅である四か所に前記係止凸部が配置されていて、
前記底部閉鎖フラップは、胴部において対向する一組の側面板の下辺に連接されて折り倒された内フラップと対向するもう一組の側面板の下辺に連接されて折り倒された外フラップとからなり、前記底部は前記内フラップの下に外フラップを重ね合わせて閉鎖されていて、前記外フラップの両側に前記係止凸部に対応した切り欠きが設けられ、前記係止凹部は、底部における前記内フラップへの前記外フラップの切り欠き部分の重ね合わせにより前記内フラップを上面として形成されていて、
前記係止凹部での内フラップには、前記傾斜側面板の下辺が当接してこの傾斜側面板の下辺の位置を経て箱外方に張り出す張り出し部が設けられ、
上下の包装用箱を積み重ねて下位の包装用箱の天部の前記係止凸部と上位の包装用箱の底部の前記係止凹部とを対応させたときに、前記上位の包装用箱の傾斜側面板の下辺と前記下位の包装用箱の傾斜側面板の上辺とで、前記張り出し部を挟み込み可能な構成とされていることを特徴とする包装用箱であり、この包装用箱を提供して上記課題を解消するものである。
【００１３】
（請求項２）
そして、本発明において、上記天部閉鎖フラップは、胴部において対向する一組の側面板の上辺に連接されて折り倒された内フラップと対向するもう一組の側面板の上辺に連接されて折り倒された外フラップとからなり、上記天部は前記内フラップの上に外フラップを重ね合わせて閉鎖されていて、この天部閉鎖フラップの内、外フラップの側端部分は内フラップの基端部分に重ね合わされ、傾斜側面板の上辺に連接されて上記係止凸部である上記フラップが、外フラップの基端部分の近傍に重ね合わされていて、外フラップにフラップを重ね合わせてなるこの係止凸部が、外フラップの基端部分と内フラップの基端部分とに近接配置されているものとすることが良好である。
【発明の効果】
【００１５】
（請求項１の発明の効果）
請求項１の発明によれば、平面形状が八角形状とされた天部の四隅に、胴部の傾斜側面板の上辺に連接されて折り倒したフラップにより平らな係止凸部を設けているので、天部における残りの四辺中の対向する一組の辺を折り元部分としている一対の内フラップを先に折り倒し、そして、対向するもう一組の辺を折り元部分としている一対の外フラップを、前記内フラップの上に乗るように折り倒して重ね合わせることができ、先折りした一対の内フラップが、後折りした外フラップの下支えの役割をなすようになる。このように閉鎖形成された天部では、外フラップの端縁部分はその両側が内フラップにて支えられているので、上方荷重に対する天部周辺から天部の中央に至るに従って強度が低下する度合いが小さくなるという効果を奏し、棒積みが適正に行なえる利点に加えて優れた効果を有するものとなる。
さらに、本発明によれば、係止凹部での内フラップが傾斜側面板の下端位置から外方に張り出しているので、包装用箱を上下に積み重ねて下位の包装用箱の天部の係止凸部が上位の包装用箱の底部の係止凹部に入り込んだ際に、下位の包装用箱の天部の係止凸部が連続する傾斜側面板の上端と、上位の包装用箱の底部の係止凹部において凹部内上面となる内フラップに乗る傾斜側面板の下端とが、それらの製造誤差などによって少し位置ズレした場合でも、その間に上位の包装用箱の底部での前記内フラップが介在するようになるため、上位の包装用箱における傾斜側面板側からの荷重を下位の包装用箱の傾斜側面板へと伝えて、位置ズレによる上位の傾斜側面板下端や下位の傾斜側面板上端に荷重集中による変形を生じさせ難くすることができるという効果を奏する。
【００１６】
（請求項２の発明の効果）
通常のブロック状の包装用箱においては、その天部を閉鎖している天部閉鎖フラップでの上位となる外フラップが、重ね合わせで下位となる対の内フラップの折り元の部分まで及んでいて、その折り元の上に乗った状態で重ね合わされており、重ね合わせ上位の外フラップに加わる上方荷重をそのフラップ自体の折り元部分に連続する側面板と下位の内フラップの折り元部分に連続する側面板に伝えて支持させることができる。
【００１７】
そして、請求項２の発明によれば、内フラップの基端に重なっている外フラップの側辺部分からその外フラップ自体の基端まで外フラップが跨っていて、その外フラップの上に係止凸部となるフラップが折り倒されており、その係止凸部の両側に丈夫な外フラップの折り元部分と内フラップの折り元部分とが存在する位置関係となってそれらの折り元部分が側面板にも連続していることから、係止凸部に上方から荷重が加わっても胴部における複数の面板に荷重が伝達されて係止凸部周りの強度が向上するという効果がある。
【図面の簡単な説明】
【００１９】
【図１】本発明に係る製造方法によりなる包装用箱の一例を示す説明図である。
【図２】包装用箱を得るためのブランクを示す説明図である。
【図３】箱積み重ねの際の上位の包装用箱の底部と下位の包装用箱の天部とを示す説明図である。
【図４】天部の係止凸部と底部の係止凹部との対応を示す説明図である。
【図５】従来例を示す説明図である。
【発明を実施するための形態】
【００２０】
つぎに本発明を図１から図４に示す実施の形態に基づいて詳細に説明する。
図中１は胴部断面が八角形状となっている包装用箱で、該包装用箱１は一枚の段ボール製のブランク２から製函されたものである。前記ブランク２は図２に示すように胴部形成部３と天部形成部４と底部形成部５とを備えている。なお、図２では箱内面側となる面を見た状態となるようにブランク２が図示されている。
【００２１】
胴部形成部３は胴部断面（箱の平断面）がこの包装用箱１の胴部Ａを八角形状にして得るための部分であり、通常の四角形状の箱における胴部をサイド貼りして形成する場合と同様にサイド貼りが行なえるように、８面の面板を一連に連接するとともにその連接方向の端部に糊代６を連接している。前記８面の面板は４面の側面板７，８，９，１０と４面の傾斜側面板１１，１２，１３，１４とであり、胴部周り方向に沿って前記側面板７，８，９，１０と傾斜側面板１１，１２，１３，１４とが１面ずつ交互に並んで折り罫を介して連接され、前記糊代６も連接方向の端部となる側面板１０の側辺に折り罫を介して連接されている。したがって、胴部形成部３では糊代６を含めて９面の面板が連接された状態となっている。
【００２２】
本実施の形態の包装用箱１では箱幅方向の寸法が箱前後方向の寸法より大きいものとなっていて、胴部断面の形状が箱幅方向に長い長方形状の四隅を落とした八角形状となるように、側面板７，９の幅寸法（連接方向）が側面板８、１０の幅寸法より大きくなっており、傾斜側面板１１，１２，１３，１４の幅寸法が側面板８，１０の幅寸法より小さく設けられている。
【００２３】
天部形成部４は八角形状にして閉じられて四隅に平たい平板形状の係止凸部Ｂ１を配した天部Ｂを得るための部分であって、上記８面の面板７〜１４それぞれの上辺に折り罫を介して連接されたフラップ１５，１６，１７，１８，１９，２０，２１，２２がある。図示されているように太幅の側面板７，９の上辺には、胴部断面の八角形状に応じた八角形状の半面となる形状としたフラップ１６、２０が連接され、細幅の側面板８、１０の上辺にはこの側面板８，１０と同様の幅とされた略四角形状のフラップ１８、２２が連接され、さらに傾斜側面板１１，１２，１３，１４の上辺に略三角形状としたフラップ１５，１７，１９，２１が連接されている。後述するようにこのフラップ１５，１７，１９，２１により前記係止凸部Ｂ１が形成される（図１参照）。
【００２４】
底部形成部５は八角形状にして閉じられて四隅に平たくして凹んだ係止凹部Ｃ１を配した底部Ｃを得るための部分であって、上記側面板７，８，９，１０それぞれの下辺に折り罫を介して連接されたフラップ２３，２４，２５，２６がある。細幅の側面板８，１０の下辺に連接されたフラップ２４，２６を倒し込んでから太幅の側面板７，９の下辺に連接されているフラップ２３，２５を倒し込んで底部Ｃを閉鎖したときにその底部Ｃの四隅に上記係止凸部Ｂ１に合致した形状でその係止凸部Ｂ１が入り込むことができる前記係止凹部Ｃ１を得るように前記フラップ２３，２４，２５，２６それぞれが形成されている（図３参照）。
【００２５】
図示されている形態では、太幅の側面板７，９に連接のフラップ２３，２５が略Ｔ型とされていて、略三角形状の係止凸部Ｂ１の平面形状に応じた係止凹部Ｃ１が得られるようにフラップ２３，２５の側部の基端側が鈎状に切り欠かれている。細幅の側面板８，１０の下辺に連接されたフラップ２４，２６は、傾斜側面板１１，１２，１３，１４それぞれの下辺と前記フラップ２３，２５それぞれの側辺（鈎状とされた切り欠き部分）との間で製函時に形成される開放部分を塞ぎ、即ち、係止凹部Ｃ１での内天面部分が形成されるようにした形状とするとともに、傾斜側面板１１，１２，１３，１４の下辺の位置を経て容器外に張り出して張り出し縁の傾斜が傾斜側面板の傾斜と揃うように側部基端側の縁形状が設定されている。勿論、ブランク２上での板面の取り合いを考慮した形状とされている。
【００２６】
製函された包装用箱１が図１に示されている。この包装用箱１の天部Ｂの四隅には、上述したように平たい係止凸部Ｂ１が配置されており、この係止凸部Ｂ１はフラップ１５，１７，１９，２１をフラップ１６，２０に折り重ねて接着することで形成されている。この天部Ｂをより詳しく説明すれば、天部Ｂを閉鎖されたものとする天部閉鎖フラップが、太幅の側面板７，９の上辺に連接されて折り倒されている上記フラップ１６，２０と、細幅の側面板８，１０の上辺に連接されて折り倒されている上記フラップ１８，２２とである。この細幅の側面板８，１０に連接のフラップ１８，２２を先に折り倒していることから、この一対が天部Ｂでの内フラップとなり、太幅の側面板７，９に連接の前記フラップ１６，２０は後に折り倒して前記内フラップ１８，２２に重ね合わされていることから、この一対が天部Ｂでの外フラップとなっており、このように内フラップ１８，２２を折り倒し、それらに重なるようにして外フラップ１６，２０を折り倒しており、内フラップと外フラップとの重なり合う個所がホットメルト接着剤などの接着手段を用いて貼り合わされ、これによって天部Ｂが閉鎖形成されている（図３参照）。
【００２７】
さらに上記外フラップ１６，２０の上にフラップ１５，１７，１９，２１が折り倒され、外フラップに対して上記接着手段を用いて貼り合わせることによって、平面形状を八角形状となっている天部Ｂの四隅となる四か所に略三角形の平板状とした上記係止凸部Ｂ１が形成されている。この係止凸部Ｂ１であるフラップ１５，１７，１９，２１が折り重なっている外フラップ１６，２０それぞれの両側にあっては、内フラップ１８，２２によって下支えされている。また、この外フラップ１６，２０の側辺は、内フラップ１８，２２の基端部分に乗るようにして重ねられている。
【００２８】
そして係止凸部Ｂ１となるフラップ１５，１７，１９，２１それぞれは、側辺が内フラップ１８，２２の基端部分に対応している外フラップ１６，２０の側部であってその外フラップ１６，２０の基端部分に近接した個所にして、この外フラップ１６，２０に重ねられていることから、係止凸部Ｂ１に加わる上方荷重は、近接している内フラップ１８，２２の基端部分から細幅の側面板８，１０に伝わり、また同様に近接している外フラップ１６，２０の基端部分から太幅の側面板７，９にも伝わる。勿論、フラップ１５，１７，１９，２１の基端部分から傾斜側面板１１，１２，１３，１４にも伝わることから、係止凸部Ｂ１に加わる上方荷重が分散され、よってこの係止凸部Ｂ１周りの強度が向上している。
【００２９】
上述したように底部Ｃは、細幅の側面板８，１０の下辺に連接して折り倒された上記フラップ２４，２６と、太幅の側面板７，９の下辺に連接して折り倒された上記フラップ２３，２５とを底部閉鎖フラップとして重ね合わせて閉鎖形成されており、先折りされるフラップ２４，２６を内フラップとして、後折りして前記内フラップ２４，２６に重ね合わされてその重ね合わせ部分を上記接着手段で貼り合わせるフラップ２３，２５を外フラップとしている。
【００３０】
上述したように上記外フラップ２３，２５の両側には、上記係止凸部Ｂ１の三角形状に対応するように鉤状にした切り欠きが設けられ、また、内フラップ２４，２６の両側の基部側が図示のように角取りされた縁形状にして傾斜側面板１１，１２，１３，１４の下辺の位置を経て箱外方に張り出す張り出し部２７が設けられており、先折りして倒し込まれた内フラップ２４，２６において基端側の両側部分には傾斜側面板１１，１２，１３，１４の下辺が当接し、この傾斜側面板の下辺が当接している位置から前記張り出し部２７が外方に向けて張り出している。勿論、この包装用箱１の取り扱いに支障を来す張り出し量ではない。そして、後折りとして倒し込まれた外フラップ２３，２５が前記内フラップ２４，２６に重なり、この内フラップ２４，２６に外フラップ２３，２５の側方の鉤状の切り欠き部分が重なることで、内フラップ２４，２６の側方部分を内天面とした上記係止凹部Ｃ１が形成されている。
【００３１】
このように底部Ｃでの四隅に天部Ｂの係止凸部Ｂ１に対応した係止凹部Ｃ１が設けられていて、図３に示すように、複数個の包装用箱１を上下にしながら上位の包装用箱１の底部Ｃ側の係止凹部Ｃ１に下位の包装用箱１の天部Ｂの係止凸部Ｂ１を対応させて重ねることで、上位の係止凹部Ｃ１に下位の係止凸部Ｂ１が入り込むようになり、上位に乗せた包装用箱１が下位の包装用箱１に対して横方向にズレることなく安定して積み重ねることができるように設けられている。
【００３２】
下位の包装用箱１における天部Ｂの係止凸部Ｂ１を上位の包装用箱１の底部Ｃの係止凹部Ｃ１に入り込ませて棒積みした際の積み重ねが安定するように設けられているが、包装用箱１それぞれの製造誤差などによって下位の包装用箱１の傾斜側面板の上辺位置（係止凸部を形成するフラップ１５，１７，１９，２１が連続する部分）と上位の包装用箱１の傾斜側面板の下辺位置とが僅かながら位置ズレする可能性もある。
【００３３】
しかし、本実施の例にあっては傾斜側面板１１，１２，１３，１４の下辺は張り出し部２７に当接しているものであって、上下に包装用箱１を係止凸部Ｂ１と係止凹部Ｃ１とを対応させながら積み重ねたときには、上位の包装用箱１の傾斜側面板１１，１２，１３，１４の下辺と下位の包装用箱１の傾斜側面板の上辺とが、上位の包装用箱１の底部Ｃの内フラップ２４，２６の一部分、即ち前記張り出し部２７を挟み込むこととなり（図４参照）、上位の傾斜側面板１１，１２，１３，１４から下位の傾斜側面板１１，１２，１３，１４へスムーズに荷重の伝達ができる。
【００３４】
よって、上位の包装用箱１の傾斜側面板１１，１２，１３，１４の下辺周りや、下位の包装用箱１の傾斜側面板１１，１２，１３，１４の上辺周りの局所に荷重集中が生じず、変形を防止できるものとなる。よって、棒積みの形態がより一層安定したものとすることができる。図４においては、一つのコーナー部分の組み合わせとして、下位の包装用箱１におけるフラップ１７により形成された係止凸部Ｂ１と、上位の包装用箱１における内フラップ２４の側部での係止凹部Ｃ１との組み合わせを図示しているが、他のコーナー部分の組み合わせにあっても同様である。
【００３５】
ブランク２で示されているように太幅の側面板９の両側辺の中段からその側辺に沿って側面板９と外フラップ２０との連接部位の両端に達し、そしてその外フラップ２０において天部中心側に傾斜してフラップ端辺に達している対の切り取り線２８が設けられている。さらに前記側面板９の前記切り取り線２８の端部位置それぞれには略コ字状とした切り込み２９が設けられており、製函された包装容器１から収納物を取り出す際に、前記切り込み２９の間をその切り込み２９の部分で形成される舌片を摘み持つなどして切り裂くとともに、前記切り取り線２８それぞれを切断しながら外フラップ２０の中央部分から側面板９の中段までを取り除くようにする。これによって包装用箱１が開封されて、内部にある商品を取り出すことができるようになる。
【符号の説明】
【００３６】
Ａ…胴部
Ｂ…天部  Ｂ１…係止凸部
Ｃ…底部  Ｃ１…係止凹部
１…包装用箱
３…胴部形成部
４…天部形成部
５…底部形成部
７，８，９，１０…側面板
１１，１２，１３，１４…傾斜側面板
１５，１７，１９，２１…フラップ
１６、２０…外フラップ
１８，２２…内フラップ
２３，２５…外フラップ
２４，２６…内フラップ
２７…張り出し部
【図１】
0005834641.tif 000002
【図２】
0005834641.tif 000003
【図３】
0005834641.tif 000004
【図４】
0005834641.tif 000005
【図５】
0005834641.tif 000006